(57)【特許請求の範囲】
【請求項１】
空気の入口および出口を有するケーシングと、
前記ケーシング内に形成され、液体を貯溜した貯溜部と、
塵埃を含む空気を、前記入口から取り入れて前記出口から排出させる流体機械と、
前記ケーシング内に配設され、前記入口からの空気が、前記貯溜部の液体に対して上方から送り込まれるように空気の流れ方向を設定する制御板と、
を備え、
前記貯溜部が、横方向に複数形成され、
前記制御板が、各貯溜部に対して空気が上方から送り込まれるように設定されており、
空気の流れ方向下流側に位置する貯溜部からの液体が、オーバフロー式に空気の流れ方向上流側に位置する貯溜部へと順次流れるように設定され、
空気の流れ方向もっとも上流側に位置する貯溜部からの液体が、前記ケーシングに形成された液体排出口より外部へ排出されるように設定されており、
前記液体排出口に、略水平方向に伸びる回転軸線を中心として回転自在に配置された羽根車が配置され、
前記羽根車によって、該液体排出口のうち少なくとも液体の液位よりも高い部分がほぼ全体的に塞がれている、
ことを特徴とする集塵装置。
【請求項２】
請求項１において、
前記羽根車によって、液位の高さに無関係に、前記液体排出口がほぼ全体的に塞がれている、ことを特徴とする集塵装置。
【請求項３】
請求項１において、
前記制御板が、ケーシングの高い位置から所定長さ下方へ伸びる上制御板と、ケーシングの低い位置から上方へ向けて所定長さ有する下制御板とを有して、該上下の各制御板が、横方向に順次配設されており、
前記下制御板によって、隣り合う貯溜部同士が区画されており、
前記上制御板の下方延長部分に前記貯溜部が位置されており、
前記下制御板の上方を通って一の貯溜部から次の隣の貯溜部へと空気が送り込まれるようにされている、
ことを特徴とする集塵装置。
【請求項４】
請求項３において、
横方向に並置された前記貯溜部と上制御板と下制御板との組み合わせが、上下方向に複数組設けられ、
下に位置する貯溜部のうちもっとも空気の流れ方向下流側にある貯溜部に向けて送られた後の空気が、上方へ移動して、上に位置する貯溜部へと供給されるようにされ、
前記空気の入口が、もっとも低い位置にある貯溜部に対応して低い位置に設定され、
前記空気の出口が、もっとも高い位置にある貯溜部に対応して高い位置に設定されている、
ことを特徴とする集塵装置。
【請求項５】
空気の入口および出口を有するケーシングと、
前記ケーシング内に形成され、液体を貯溜した貯溜部と、
塵埃を含む空気を、前記入口から取り入れて前記出口から排出させる流体機械と、
前記ケーシング内に配設され、前記入口からの空気が、前記貯溜部の液体に対して上方から送り込まれるように空気の流れ方向を設定する制御板と、
を備え、
前記ケーシングに、前記貯溜部の液体を外部へ排出するための液体排出口が形成され、
前記液体排出口に、略水平方向に伸びる回転軸線を中心として回転自在に配置された羽根車が配置され、
前記羽根車によって、該液体排出口のうち少なくとも液体の液位よりも高い部分がほぼ全体的に塞がれている、
ことを特徴とする集塵装置。
【請求項６】
空気の入口および出口を有するケーシングと、
前記ケーシング内に形成され、液体を貯溜した貯溜部と、
塵埃を含む空気を、前記入口から取り入れて前記出口から排出させる流体機械と、
前記ケーシング内に配設され、前記入口からの空気が、前記貯溜部の液体に対して上方から送り込まれるように空気の流れ方向を設定する制御板と、
を備え、
前記ケーシングに、前記貯溜部の液体を外部へ排出するための液体排出口が形成され、
前記液体排出口に、略水平方向に伸びる回転軸線を中心として回転自在に配置された羽根車が配置され、
前記羽根車によって、前記液体排出口がほぼ全体的に塞がれている、
ことを特徴とする集塵装置。
【請求項７】
請求項１ないし請求項６のいずれか１項において、
前記貯溜部に対して液体を上方からシャワー式に供給する液体供給手段を備えている、ことを特徴とする集塵装置。
【請求項８】
請求項７において、
前記液体供給手段から供給される液体が、前記ケーシングの外部へ排出された液体から塵埃を除去した後の液体とされて、液体が循環使用されるようにされている、ことを特徴とする集塵装置。
【請求項９】
請求項１ないし請求項８のいずれか１項において、
前記塵埃が、少なくともカーボン繊維を含む合成樹脂を切削したときに生じる切削粉とされている、ことを特徴とする集塵装置。
【発明の詳細な説明】
【０００１】
【発明の属する技術分野】
本発明は空気中に浮遊する塵埃を補集するための集塵装置に関するものである。
【０００２】
【従来の技術】
工場等において、作業空間つまり空気中に浮遊する塵埃が問題となる環境が多々存在する。例えば、ロールの切削現場においては、ロールを構成する材料がカーボン繊維で強化された合成樹脂であるときに、切削によって細かく切断されたカーボン繊維が塵埃となって空気中に長時間浮遊してしまうことになる。
【０００３】
【発明が解決しようとする課題】
上述のような浮遊塵埃を効率よく除去することが望まれているが、特に簡易つまり安価に集塵できるものが望まれるものである。したがって、本発明の目的は、空気中に浮遊する塵埃を簡単な手法でもって効率よく除去できるようにした集塵装置を提供することにある。
【０００４】
前記目的を達成するため、本発明装置にあっては、第１の解決手法として次のようにしてある。すなわち、特許請求の範囲における請求項１に記載のように、
空気の入口および出口を有するケーシングと、
前記ケーシング内に形成され、液体を貯溜した貯溜部と、
塵埃を含む空気を、前記入口から取り入れて前記出口から排出させる流体機械と、
前記ケーシング内に配設され、前記入口からの空気が、前記貯溜部の液体に対して上方から送り込まれるように空気の流れ方向を設定する制御板と、
を備え、
前記貯溜部が、横方向に複数形成され、
前記制御板が、各貯溜部に対して空気が上方から送り込まれるように設定されており、
空気の流れ方向下流側に位置する貯溜部からの液体が、オーバフロー式に空気の流れ方向上流側に位置する貯溜部へと順次流れるように設定され、
空気の流れ方向もっとも上流側に位置する貯溜部からの液体が、前記ケーシングに形成された液体排出口より外部へ排出されるように設定されており、
前記液体排出口に、略水平方向に伸びる回転軸線を中心として回転自在に配置された羽根車が配置され、
前記羽根車によって、該液体排出口のうち少なくとも液体の液位よりも高い部分がほぼ全体的に塞がれている、
ようにしてある。上記解決手法を前提とした好ましい態様は、特許請求の範囲における請求項２〜請求項４、請求項７〜請求項９に記載のとおりである。
【０００５】
前記目的を達成するため、本発明装置にあっては、第２の解決手法として次のようにしてある。すなわち、特許請求の範囲における請求項５に記載のように、
空気の入口および出口を有するケーシングと、
前記ケーシング内に形成され、液体を貯溜した貯溜部と、
塵埃を含む空気を、前記入口から取り入れて前記出口から排出させる流体機械と、
前記ケーシング内に配設され、前記入口からの空気が、前記貯溜部の液体に対して上方から送り込まれるように空気の流れ方向を設定する制御板と、
を備え、
前記ケーシングに、前記貯溜部の液体を外部へ排出するための液体排出口が形成され、
前記液体排出口に、略水平方向に伸びる回転軸線を中心として回転自在に配置された羽根車が配置され、
前記羽根車によって、該液体排出口のうち少なくとも液体の液位よりも高い部分がほぼ全体的に塞がれている、
ようにしてある。上記解決手法を前提とした好ましい態様は、特許請求の範囲における請求項７〜請求項９に記載のとおりである。
【０００６】
前記目的を達成するため、本発明装置にあっては、第３の解決手法として次のようにしてある。すなわち、特許請求の範囲における請求項６に記載のように、
空気の入口および出口を有するケーシングと、
前記ケーシング内に形成され、液体を貯溜した貯溜部と、
塵埃を含む空気を、前記入口から取り入れて前記出口から排出させる流体機械と、
前記ケーシング内に配設され、前記入口からの空気が、前記貯溜部の液体に対して上方から送り込まれるように空気の流れ方向を設定する制御板と、
を備え、
前記ケーシングに、前記貯溜部の液体を外部へ排出するための液体排出口が形成され、
前記液体排出口に、略水平方向に伸びる回転軸線を中心として回転自在に配置された羽根車が配置され、
前記羽根車によって、前記液体排出口がほぼ全体的に塞がれている、
ようにしてある。上記解決手法を前提とした好ましい態様は、特許請求の範囲における請求項７〜請求項９に記載のとおりである。
【０００７】
請求項１によれば、空気中に浮遊する塵埃は、貯溜部の液体に上方からぶつかるときに当該液体に捕捉されることになり、簡単な手法でもって効率よく塵埃が捕捉されるつまり集塵されることになる。特に、制御板を利用するという簡単な手法でもって、塵埃を含む空気を貯溜部の液体へ向けて確実に上方から供給することができる。
また、貯溜部を横方向に複数設置することにより、塵埃が液体へ捕捉される機会が増加して、この分より効率よく集塵されることになる。
さらに、貯溜部の液体に浮かんだ状態で捕捉されている塵埃が、液位差を利用して簡単に集合させることができる。また、各貯溜部での塵埃の捕捉量は空気の流れ方向上流側に位置するものほど多くなるが、捕捉した塵埃を集合させるのに、塵埃を極力少なく移動させつつ行うことができる。
さらに又、羽根車を利用して、塵埃を含むケーシング内の空気が液体排出口を通してケーシング外部への漏れ出るのを極力防止しつつ、液体に捕捉された塵埃をケーシング外部へ確実に排出することができる。
【０００８】
請求項２によれば、ケーシング内からの塵埃を含む空気の外部への漏れをより効果的に防止する上で好ましいものとなる。
【０００９】
請求項３によれば、貯溜部へ向けての空気の流れを形成するより具体的な構造が提供される。
【００１０】
請求項４によれば、上下方向の複数組設置により、平面的な設置スペースを極力小さくしつつ、全体として集塵効果を高めることができる。
【００１１】
請求項５によれば、空気中に浮遊する塵埃は、貯溜部の液体に上方からぶつかるときに当該液体に捕捉されることになり、簡単な手法でもって効率よく塵埃が捕捉されるつまり集塵されることになる。
また、羽根車を利用して、塵埃を含むケーシング内の空気が液体排出口を通してケーシング外部への漏れ出るのを極力防止しつつ、液体に捕捉された塵埃をケーシング外部へ確実に排出することができる。
【００１２】
請求項６によれば、空気中に浮遊する塵埃は、貯溜部の液体に上方からぶつかるときに当該液体に捕捉されることになり、簡単な手法でもって効率よく塵埃が捕捉されるつまり集塵されることになる。また、羽根車を利用して、塵埃を含むケーシング内の空気が液体排出口を通してケーシング外部への漏れ出るのをより一層効果的に防止しつつ、液体に捕捉された塵埃をケーシング外部へ確実に排出することができる。
【００１３】
請求項７によれば、シャワー状に供給される液体により、浮遊塵埃の貯溜部へ向けての落下を促進させて集塵効率を高めることができ、また貯溜部の上方に位置する壁面等に付着した塵埃をも貯溜部の液体へ捕捉させることができる。
【００１４】
請求項８によれば、液体の消費量を低減する上でも好ましいものとなる。
【００１５】
請求項９によれば、カーボン繊維を含む合成樹脂を切削することにより生じる塵埃を捕捉して、切削現場の環境向上の上で好ましいものとなる。カーボン繊維を含む合成樹脂を切削することにより生じる塵埃を捕捉して、切削現場の環境向上の上で好ましいものとなる。
【００１６】
【発明の実施の形態】
図１において、１はケーシングであり、空気の入口１０と出口１２、および液体排出口２１を除いて、全体的に密閉構造とされている。ケーシング１は、全体的に直方体形状とされており、それぞれ略水平に伸びる底壁１ａと頂壁１ｂとの間の中間部分において、ほぼ水平に伸びる中間壁２を有する。
【００１７】
底壁１ａからは、それぞれ上方へ伸ばして図中左右方向へ間隔をあけて複数の下制御板４が突設されて、各下制御板４の間が補集室Ｃ１〜Ｃ６とされている。下制御板４は、中間壁２までは達しない長さとされており、隣り合う補集室同士が下制御板４の上方空間を介して連通される。各補集室Ｃ１〜Ｃ６の底部は、上方が広く開放された貯溜部５とされ、各貯溜部５には塵埃補集用の液体としての水が貯溜されている。各貯溜部５の液位は、後述するように、下制御板４に形成された連通口６の高さ位置によって決定されるようになっている。
【００１８】
前記中間壁２からは、それぞれ下方へ伸ばして、図中左右方向に間隔をあけて上制御板３が突設されている。各上制御板３は、下制御板４に対して交互に存在するようにされている。上制御板３は、貯溜部５（内の水）には達しない長さとされており、その延長線上に、貯溜部５の図中左右方向略中間部分が位置するように位置設定されている（補集室Ｃ１〜Ｃ６の図中左右方向略中間部に上制御板３が位置される）。
【００１９】
ケーシング１の頂壁１ｂと中間壁２との間にも、前述したのと同様の上下の制御板３、４が位置されて、補集室Ｃ１１〜Ｃ１５が形成されると共に、貯溜部５が形成されている。そして、下に位置する図中もっとも右方の補集室Ｃ６が、上に位置する図中もっとも右方の補集室Ｃ１１に対して、上下方向に長く伸びる連通路Ｄを介して連通されている。なお、中間壁２は、下側の補集室Ｃ１〜Ｃ６については頂壁として機能されることになり、上側の補集室Ｃ１１〜Ｃ１５については底壁として機能されることになる。
【００２０】
図２にも示すよに、前記入口１０は、図１中左端壁のうち中間壁２の直下方に形成され、この入口１０には、塵埃を含む周囲の空気をケーシング１内に取り込むための吸入用の流体機械としてのファン１１が装備されている。前記出口１２は、図１中左端壁の高い位置に形成されている。この出口１２には、空気の排出用流体機械としてのファン１３が配設されると共に、ファン１３の直内部側においてフィルタ１４が配設されている。
【００２１】
前記液体排出口２１には、羽根車３１が配設されている。この羽根車３１については後に詳述するが、少なくとも下部は常時補集室Ｃ１の液位中に存在するようにされている。そして、羽根車３１の上方および側方は、ケーシング１に小間隙のみを有するように設定されて、ケーシング１内の空気が液体排出口２１から漏れ出るのが極力少なくなるようにされている。
【００２２】
液体排出口２１から羽根車３１を通ってケーシング１外部へ排出される液体（実施形態では前述のように水）は、後述するように捕捉した塵埃を多量に含むものであり、この排出液体は凹部状の集合部２２に向けて排出される。集合部２２内の液体は、フィルタ２５によって塵埃が除去された後、ポンプ２４によって、上側に位置する各補集室Ｃ１１〜Ｃ１５の上部から下方へ向けてシャワー状に供給される。すなわち、各補集室Ｃ１１〜Ｃ１５の上部には、シャワーノズル２６が設置され（図３をも参照）、この各シャワーノズル２６が、上記ポンプ２４が接続された供給配管２３に連なっている。
【００２３】
ここで、ケーシング１周囲の塵埃を含む空気は、入口１０からケーシング１内へ入って、下側の補集室Ｃ１〜Ｃ６を順次通過した後、連通路Ｄより上方の補集室Ｃ１１へと流れ、その後、上側の補集室Ｃ１２〜Ｃ１５を順次通った後、フィルタ１４を経て、出口１２からケーシング１外部へと排出される。なお、ケーシング１内での空気の流れがスムーズに行われるように、また流速が部分的に大きく変化しないように、各制御板３と４との間の通路有効開口面積等は、入口１０から出口１２に渡ってほぼ同じ大きさとなるように設定されている。
【００２４】
塵埃を含む空気は、各補集室（Ｃ１〜Ｃ６、Ｃ１１〜Ｃ１５）において、一旦下方へ向けて流れた後、上制御板３の下方を通って上方へと流れ、下制御板４の上方を通って隣の補集室へと移動されることになる。塵埃を含む空気が、貯溜部５に貯溜されている水に上方からぶつかることにより、この貯溜部５内の水に捕捉されることになり、捕捉された塵埃はその殆どが貯溜部５内の水に浮遊状態で存在されることになる。各補集室（Ｃ１〜Ｃ６、Ｃ１１〜Ｃ１５）での塵埃捕捉効率は殆ど同じ程度であるが、空気の流れ方向上流側に位置する補集室の方が、空気の流れ方向下流側での補集室での塵埃捕捉量よりも多くなる。１つの補集室での塵埃捕捉効率を例えば３０％とすると、もっとも下流側の補集室Ｃ１５（の貯溜部５を通過した直後）での空気中の塵埃割合は１．５８％となり、また１つの補集室での塵埃捕捉効率を例えば５０％とすると、補集室Ｃ１５での空気中の塵埃割合は、０．１％を下回ることになる。
【００２５】
前記連通口６の高さは、空気の流れ方向上流側に位置する方が、空気の流れ方向下流側に位置するものよりも低くなるように設定されている。すなわち、下側の補集室Ｃ１〜Ｃ６に着目してみると、連通口６の高さは高いほうから低いほうへ順次、補集室Ｃ６（用の貯溜部５）、Ｃ５、Ｃ４、Ｃ３、Ｃ２となっており、補集室Ｃ１用の連通口ともなる液体排出口２１がもっとも低く設定されている。。同様に、上側の補集室Ｃ１１〜Ｃ１５についても、連通口６は高いほうから低い方へ順次、Ｃ１５、Ｃ１４Ｃ１３、Ｃ１２、Ｃ１１となっている。このように、空気の流れ方向下流側に位置する貯溜部５の水が、連通口６を通してつまり液位差を利用したオーバフロー式に、順次空気の流れ方向上流側の貯溜部５へと流れることになる。なお、上側の補集室Ｃ１１からは、連通路Ｄより、下側の補集室Ｃ６へと落下されるようになっている。
【００２６】
各連通口６の開口幅（図１紙面直角方向長さ）は、液体排出口２１と同様に細長く形成されている。すなわち、パイプ等によって狭い開口面積として設定すると、貯溜部５（中の水）の広い面積に渡って分散して浮遊している捕捉された塵埃を、効率よくオーバフロー式に空気の流れ方向上流側の貯溜部５へと移動させることが難しいものであり、このため、連通口６の開口幅を貯溜部５の全幅に極力近い大きなものとして設定するのが好ましいものとなる。
【００２７】
塵埃を捕捉した水は、上述のように流れて移動して、最終的に集合部２２へと排出されるが、フィルタ２５によって塵埃が除去された後の水が再び補集室へ供給されて、各貯溜部５内の水の表面に塵埃が多量に浮遊したままとなってしまう事態が防止される（塵埃捕捉効率の低下防止）。シャワーノズル２６から供給される水により、塵埃が下方へ向けてつまり貯溜部５へ向けて落下し易くなって、塵埃の捕捉効率向上の上で好ましいものとなる。また、上下の制御板３、４やケーシング１の内壁面に付着した塵埃も貯溜部５へ向けて洗い流されることになり、塵埃捕捉効率向上の上でより好ましいものとなる。
【００２８】
ここで、前述した羽根車３１の点について、図４、図５をも参照しつつ説明する。まず、液体排出口２１は、その内底面が補集室Ｃ１の底面と同一高さで面一に連なるようにされており、液体排出口２１の開口高さは、補集室Ｃ１の設定液位よりも所定分高くなるように設定されている。液体排出口２１の開口幅（図１紙面直角方向長さ、図２左右方向長さ）は、極力大きくなるように設定されて、図２に示すように全体として略水平方向に細長く伸びるように設定されている。羽根車３１は、左右一対の円形のフランジ部３３と、フランジ部３３に一体化された左右一対の回転軸部３４と、左右一対のフランジ部３３間同士を連結して、周方向に等間隔に配設された複数枚の羽根部３２とを有する。
【００２９】
羽根車３１は、上記回転軸部３４を介して、ケーシング１に対して略水平軸線回りに回転自在に保持されている。羽根部３２およびフランジ部３３は、そのもっとも低い位置が少なくとも常時補集室Ｃ１（液体排出口２１）の液位中（水中）に存在するように設定され、実施形態では、羽根車３１のもっとも低い位置が液体排出口２１の底壁直近に位置されて、当該液体排出口２１をほぼ全体的にふさぐようにされている。羽根車３１の上部および側部は、ケーシング１に対して極力小さな隙間となるようにされて、この部分を通してのケーシング１内から外部への空気の漏れが少なくなるように設定されている。
【００３０】
補集室Ｃ１からの液体は、捕捉した浮遊塵埃と共に、液位差によってオーバフロー式に、液体排出口２１から集合部２２へと落下される。このとき、羽根車３１が、液位差によって集合部２２へ流れ落ちようとする水の流れを受けて図４時計方向に回転されて、浮遊する塵埃が確実に集合部２２側へと移動されることになる。
【００３１】
以上実施形態について説明したが、本発明はこれに限らず、例えば次のような場合をも含むものである。補集室つまり貯溜部５を上下方向に３段階以上の複数層構造とすることもでき、また上下複数層構造とすることなく１段階構造とすることもできる。シャワーノズル２６を、下方の補集室Ｃ１〜Ｃ６に対しても設けることができ、塵埃捕捉効率向上の観点からは、全ての補集室（貯溜部５）に設けるのが好ましい。
【００３２】
複数の貯溜部５を横方向に並置することなく、貯溜部５としては１つの大きな面積を有するもののみとして設定することもできる。この場合、上下の制御板３、４を横方向に複数枚設置して、同じ貯溜部５に対して空気を複数回上方から供給することもできる。複数（多数）の貯溜部５を設けた場合、各貯溜部５毎に捕捉塵埃をケーシング１外部へ排出させるように設定することもでき（貯溜部５の数に応じた液体排出口２１の設定）、また貯溜部５を複数組に分けて、各組毎に一旦捕捉塵埃を集合させた後、集合させた捕捉塵埃をケーシング１外部へ排出させるようにすることもできる（２以上でかつ貯溜部５の全体数よりも少ない数の液体排出口２１の設定）。捕捉塵埃のケーシング１外への取り出しのために、貯溜部５を例えば引き出し式にケーシング１にセットすることもできる。
【００３３】
羽根車３１を、別途モータにより駆動するようにすることもできる。この場合、羽根車３１の少なくとも低部が必ず塵埃捕捉用液体中に存在する（浸漬される）ように、例えば羽根車３１の上流側の液位を検出するセンサを設けて、このセンサで検出される液位が所定範囲の大きさとなるように羽根車３１の回転をフィ−ドバック制御することもできる。
【００３４】
横方向に並置された複数の補集室（貯溜部５）を１ユニットとして、例えば最終的な塵埃除去率の所望度合いに応じて必要なユニット数を設定して、複数のユニットを横方向に連続して配置したり、あるいは上下方向に重ねて配設することもできる。ケーシング１内への空気の流れを形成する流体機械としては、圧送用のみあるいは吸引用のみとすることもできる。除去すべき塵埃の種類としては、カーボン繊維あるいはガラス繊維等の強化用繊維を含む合成樹脂（材料）を切削した場合に生じる切削粉に限らず、空気中に浮遊する塵埃であれば本発明の適用対象となるものである。貯溜部５（中の水）に対する空気の上方からの供給は、液面に対してほぼ直角に行う場合に限らず、斜め上方から行う場合をも含むものである。
【００３５】
塵埃捕捉用液体としては、水に限らず適宜のものが使用できるが、水を使用するのがコスト等の点で有利である。また、貯溜部５へ捕捉用液体を連続してあるいは間欠的に供給し続けることが、貯溜部５中の液体表面が捕捉塵埃で覆われてしまう事態を防止して、常に効果的に塵埃捕捉を行う上で好ましいものとなるが、新しい捕捉用液体は、実施形態で示すような循環使用に限らず、水のような安価なものであれば、使い捨て使用の形態とすることもできる。実施形態で示す各種部材は、その機能の上位表現に手段の名称を付して表現することができる。また、本発明の目的は、明記されたものに限らず、実質的に好ましいあるいは利点として表現されたものを提供することをも暗黙的に含むものである。
【図面の簡単な説明】
【図１】本発明の一実施形態を示す側面断面図。
【図２】図１を左方から見たときの左側面図。
【図３】図１を上方から見たときの上面図。
【図４】液体排出口に設けた羽根車の詳細を示す側面断面図。
【図５】図４を左方から見たときの左側面図。
【符号の説明】
１：ケーシング
３：上制御板
４：下制御板
５：貯溜部
６：連通口（オーバフロー用）
１０：空気の入口
１１：ファン（空気吸い込み用流体機械）
１２：空気の出口
１３：ファン（空気の排出用流体機械）
２１：液体排出口
２２：集合部
２３：供給用配管
２４：ポンプ
２５：フィルタ（塵埃除去用）
２６：シャワーノズル
３１：羽根車
Ｃ１〜Ｃ５：補集室（下側）
Ｃ１１〜Ｃ１５：補集室（上側）
Ｄ：連通路
【図１】
0003560839.tif 000002
【図２】
0003560839.tif 000003
【図３】
0003560839.tif 000004
【図４】
0003560839.tif 000005
【図５】
0003560839.tif 000006